(57)【要約】      （修正有）【課題】クッション性などの使用者の様々な要求や使用者の体型などに個別に対応することができるマットレスを提供する。【解決手段】平面視におけるマットレスＭ１の長手方向及び／又は短手方向に複数個を並べることによってマットレスを形作る直方体形状のブロック体Ｂ１〜Ｂ７であって、上下方向に上層１、中間層３、下層２がこの順で積層され、上層及び中間層と下層との固着体が硬度の異なる別のものと交換可能で、上層又は固着体を交換することによってブロック体の硬度を調整可能とした。硬度は、層の上面及び／又は下面に形成される複数の溝部１１、１２の形成間隔及び／又は深さで調整される。【選択図】図１
0003221097.tif 000002
【実用新案登録請求の範囲】
【請求項１】
平面視におけるマットレスの長手方向及び／又は短手方向に複数個を並べることによってマットレスを形作る直方体形状のブロック体であって、
上下方向に複数の層が積層され、
前記複数の層の少なくとも１層が硬度の異なる別のものと交換可能で、
前記層を交換することによって前記ブロック体の硬度を調整可能とした
ことを特徴とするマットレス用ブロック体。
【請求項２】
前記交換可能な層の硬度が、前記層の上面及び／又は下面に形成される複数の溝部の形成間隔及び／又は深さで調整される請求項１記載のマットレス用ブロック体。
【請求項３】
上下方向の上から順に上層、中間層、下層の３層構造を有し、
上層及び下層の上面に溝部が形成され、
中間層と下層とは固着されて一体とされ、
中間層と下層との固着体又は上層が交換可能である
請求項１又は２記載のマットレス用ブロック体。
【請求項４】
前記交換可能な層がウレタンフォームから構成されている請求項１〜３のいずれかに記載のマットレス用ブロック体。
【請求項５】
前記短手方向の長さがマットレスの短手方向の長さと同じである請求項１〜４のいずれかに記載のマットレス用ブロック体。
【請求項６】
前記請求項１から請求項５のいずれかに記載のマットレス用ブロック体が前記長手方向及び／又は前記短手方向に複数個を並べられることによって形成されることを特徴とするマットレス。
【請求項７】
前記マットレス用ブロック体の前記短手方向の長さがマットレスの短手方向長さと同じで、
前記マットレス用ブロック体が前記長手方向に複数個並べられることによって形成される請求項６記載のマットレス。
【考案の詳細な説明】
【技術分野】
【０００１】
本考案はマットレス用ブロック体（以下、単に「ブロック体」と記すことがある。）及びそれを用いたマットレスに関し、より詳細には積層構造を有するブロック体及びそれを用いたマットレスに関するものである。
【背景技術】
【０００２】
マットレスに求められる一般的機能としてクッション性、保温性、清潔性などがあるがマットレスに求められる機能は使用者の状況や好みによって様々である。例えば、クッション性などの使用者の好みは勿論のこと、体重の増減や体形変化などそのときどきでマットレスに求められる機能も変わってくる。
【０００３】
例えば特許文献１や特許文献２では、身体の部位に対応してマットレスを複数のゾーンに区分けし、各々のゾーンの硬さを変化させて使用者の身体各部の体圧を適切に分散させる技術が提案されている。
【先行技術文献】
【特許文献】
【０００４】
【特許文献１】特開平８−２５２１５２号公報
【特許文献２】特開２００７−６１２９５号公報
【考案の概要】
【考案が解決しようとする課題】
【０００５】
上記提案技術によればマットレスに要求される体圧分散性などの機能はある程度向上するものの、各使用者の異なる要求には十分には応えられていない。各使用者の要求に対応するためにはマットレスを個別に作製することが考えられるがマットレスの作製に費用と時間がかかり汎用性に欠ける。
【０００６】
本考案はこのような従来の問題に鑑みてなされたものであり、その目的は、最小限の部品で使用者の様々な要求に個別に最大限対応可能で、しかも汎用性のあるマットレスを提供することにある。
【課題を解決するための手段】
【０００７】
前記目的を達成する本考案に係るマットレスは、積層構造を有する複数個のブロック体を長手方向及び／又は短手方向に並べることによって形作られる。ここで使用されるブロック体は直方体形状であって、上下方向に複数の層が積層され、前記複数の層の少なくとも１層は硬度の異なる別のものと交換可能で、前記層を交換することによって前記ブロック体の硬度が調整可能であることを特徴とする。
【０００８】
前記構成のブロック体において、前記交換可能な層の硬度が、前記層の上面及び／又は下面に形成される複数の溝部の形成間隔及び／又は深さで調整される構成としてもよい。
【０００９】
また前記構成のブロック体において、上下方向の上から順に上層、中間層、下層の３層構造を有し、上層及び下層の上面に溝部が形成され、中間層と下層とは固着されて一体とされ、中間層と下層との固着体又は上層が交換可能である構成としてもよい。
【００１０】
また前記構成のブロック体において、前記交換可能な層がウレタンフォームから構成されているものが好ましい。
【００１１】
また前記構成のブロック体において、前記短手方向の長さがマットレスの短手方向の長さと同じである構成としてもよい。この場合、ブロック体が前記長手方向に複数個並べられることによってマットレスが形成される。
【考案の効果】
【００１２】
本考案に係るマットレスは、積層構造を有する複数個のブロック体を長手方向及び／又は短手方向に並べることによって形作られ、ブロック体を構成する複数の層の少なくとも１層は硬度の異なる別の層と交換可能であるので、所望のブロック体の硬度すなわちマットレスの所望部分の硬度を調整可能で、クッション性などの使用者の様々な要求や使用者の体型などに個別に対応することができる。
【図面の簡単な説明】
【００１３】
【図１】第１実施形態に係るマットレスＭ１の斜視図。
【図２】マットレスＭ１を構成するブロック体Ｂの分解斜視図。
【図３】上層１と固定体Ｆとの組み合わせを説明する図。
【図４】第２実施形態に係るマットレスＭ２の斜視図。
【図５】マットレスＭ２を構成するブロック体Ｂｘｙの分解斜視図。
【考案を実施するための形態】
【００１４】
以下、本考案に係るブロック体及びそれを用いたマットレスについて図に基づいてさらに説明するが、本考案はこれらの実施形態に何ら限定されるものではない。また、本明細書における長手方向、短手方向、上下方向は、各図に示す長手方向、短手方向、上下方向をいうものとする。
【００１５】
（第１実施形態）
図１に第１実施形態に係るマットレスＭ１の斜視図を示す。図１に示すマットレスＭ１は、短手方向の長さがマットレスＭ１の短手方向の長さと同じ７個のブロック体Ｂ１〜Ｂ７（以下総称して「ブロック体Ｂ」と記すことがある。）が長手方向に接するように並んで配置されたものである。なお、図１のマットレスＭ１では、１つのブロック体の形状を分かり易くするために、ブロック体Ｂ１を図１における右上方向に少しずらして描いている。各ブロック体Ｂは平面視が略同一の長方形状の３つの層が積層されてなる。上下方向上側から順に上層１、中間層３、下層２が積層されている。中間層３と下層２とは接着剤や加熱など従来公知の方法で固着されている。一方、上層１と中間層３とは固着されておらず単に積層されているだけである。これにより、後述するように、中間層３と下層２との固着体Ｆ及び上層１は硬度の異なる他の固着体Ｆ及び上層１と交換可能とされている。なお、実使用においては各ブロック体Ｂが分離してマットレスＭ１が型崩れしないようにカバー（不図示）に収容して使用するのが好ましい。あるいはブロック体Ｂ同士を、例えば面ファスナーなど離接可能な接続方法で接続するのが好ましい。以下、ブロック体Ｂについて説明する。
【００１６】
（上層）
図２にブロック体Ｂの斜視図を示す。上層１は平面視が長方形状であり、ウレタンフォームから構成される。ウレタンフォームは反発弾性率が低いため体圧分散性が高い。ここでさらに、上層１に通気性及び透水性の機能をも発揮させる観点からは、使用するウレタンフォームとしてセル膜を有しない三次元網目構造のものが推奨される。上層１の層厚に特に限定はないが、通常、３０ｍｍから７０ｍｍの範囲が好ましい。
【００１７】
上層１の下面側は平面である一方、上層１の上面側には、短手方向の一方端から他方端にわたって直線状に連続する溝部１１が長手方向に所定間隔で複数本形成されている。また長手方向の一方端から他方端にわたって直線状に連続する溝部１２が短手方向に所定間隔で複数本形成されている。上層１にこのような溝部１１及び溝部１２が形成されることによって上層１の硬度すなわちクッション性が調整可能となる。具体的には、溝部１１及び溝部１２の形成間隔を短くするほど、そして溝部１１及び溝部１２の深さを深くするほど硬度は小さくなる、すなわちクッション性は大きくなる。溝部１１及び溝部１２の形成間隔としては、通常、３０ｍｍ以上１５０ｍｍ以下の範囲が好ましい。溝部１１及び溝部１２の深さは上層１の厚みに対して２５％以上８０％以下の範囲が好ましい。
【００１８】
なお、上層１のクッション性は専ら溝部１１の形成間隔及び／又は深さによって調整するのが好ましく、溝部１２はマットレスＭ１の長手方向の一方端から他方端まで連続するように各ブロック体Ｂの上層１において共通の間隔及び深さで形成するのが好ましい。
【００１９】
溝部１１及び溝部１２の断面形状は、表面開口から内方（下方）に向かうにしたがって長手方向に若干縮幅した後拡がり、底面部は円弧状とされている（図２の部分拡大図を参照）。溝部１１及び溝部１２の断面形状をこのような形状とすることによって、例えばマットレスＭ１が載置されたベッドが背上げ姿勢とされた場合に、上層１がベッドの形状に添って屈曲しやすくなると共に、溝部１１に長手方向に拡がる力が加わったときでも（図２において上方に凸となる屈曲形状となったとき）、溝部１１の底面部から積層方向に亀裂が生じるのが抑制される。勿論、上層１に形成する溝部１１及び溝部１２の断面形状は、本考案の効果を害さない範囲において矩形状や多角形状、楕円状などいずれの形状であっても構わない。
【００２０】
（下層）
図２に示すように、下層２は平面視が上層１と同一の長方形状であり、上層１と同様に、ウレタンフォームから構成される。使用するウレタンフォームとしてセル膜を有しない三次元網目構造のものが推奨される。下層２の層厚に特に限定はないが、通常、３０ｍｍから７０ｍｍの範囲が好ましい。
【００２１】
下層２の下面側は平面である一方、下層２の上面側には、上層と同様に、短手方向の一方端から他方端にわたって直線状に連続する溝部２１が長手方向に所定間隔で複数本形成され、また長手方向の一方端から他方端にわたって直線状に連続する溝部２２が短手方向に所定間隔で複数本形成されている。下層２にこのような溝部２１及び溝部２２が形成されることによって下層２の硬度が調整可能となる。溝部２１及び溝部２２の形成間隔としては、通常、３０ｍｍ以上１５０ｍｍ以下の範囲が好ましい。溝部２１及び溝部２２の深さは上層１の厚みに対して２５％以上８０％以下の範囲が好ましい。
【００２２】
なお、下層２のクッション性は、上層１と同様に、専ら溝部２１の形成間隔及び／又は深さによって調整するのが好ましく、溝部２２はマットレスＭ１の長手方向の一方端から他方端まで連続するように各ブロック体Ｂの下層２において共通の間隔及び深さで形成するのが好ましい。
【００２３】
（中間層）
中間層３は平面視が上層１及び下層２と同一の長方形状であり、上層１及び下層２と同様に、ウレタンフォームから構成される。中間層３の上面側及び下面側はどちらも平面である。中間層３の層厚に特に限定はないが、通常、５ｍｍから３０ｍｍの範囲が好ましい。
【００２４】
中間層３は、その厚みや材質によってブロック体Ｂの硬度を調整可能とする。また、中間層３を下層２と固定することによって、ブロック体Ｂに曲げ応力が加わった際に、下層２に形成された溝部２１の拡がりが抑制され溝部２１の底部に亀裂が入ることが防止される。
【００２５】
（組み合わせ）
以上説明したブロック体Ｂでは、下層２と中間層３とが固定された固定体Ｆと上層１とが交換可能に積層されている。図３に示すように、本実施形態では上層１として３種類の上層１ａ，１ｂ，１ｃが準備されている。また、固定体Ｆとして、３種類の下層２ａ，２ｂ，２ｃを用いた３種類の固定体Ｆａ，Ｆｂ，Ｆｃが準備されている。上層１の硬度は溝部の形成間隔の最も狭い上層１ａが最も柔らかく、形成間隔の最も広い上層１ｃが最も硬い。また固定体Ｆの硬度は、下層の溝部の形成間隔の最も狭い固定体Ｆａが最も柔らかく、形成間隔の最も広い固定体Ｆｃが最も硬い。このような３種類の上層と３種類の固定体を組み合わせることによって硬度の異なる９種類のブロック体を形成することが可能となる。例えば、硬度の最も柔らかい上層１ａと硬度の最も柔らかい固定体Ｆａを選択して積層させれば硬度の最も柔らかいブロック体が得られ、反対に硬度の最も硬い上層１ｃと硬度の最も硬い固定体Ｆｃを選択して積層させれば硬度の最も硬いブロック体が得られる。勿論、上層１及び固定体Ｆは３種類に限定されるものではなく、２種類であってもよいし４種類以上であっても構わない。上層１及び固定体Ｆの種類が増えるほど上層１と固定体Ｆとの組み合わせはそれらの積として増える。
【００２６】
（マットレス）
以上説明したブロック体Ｂを用いてマットレスを形作る場合には、使用者の身体各部の体圧が適切に分散されるように、身体の部位に対応した硬度のブロック体を長手方向に接するように並べる。一般に、臀部の位置する部分の硬度を高くし、頭部及び足部が位置する部分の硬度を低くする。図１に示すマットレスＭ１を例に説明すると、頭部が位置するブロックＢ１では、上層１ａと固定体Ｆａとが積層された最も硬度の低いブロックが選択使用されている。続く肩部が位置するブロックＢ２も上層１ａと固定体Ｆａとが積層された最も硬度の低いブロックが選択使用されている。胴部が位置するブロックＢ３では、上層１ｂと固定体Ｆａとが積層されたブロックが選択使用されている。そして腰部及び臀部が位置するブロックＢ４，Ｂ５では、上層１ｃと固定体Ｆｃとが積層された最も硬度の高いブロックが選択使用されている。そして大腿部が位置するブロックＢ６では最も硬度の低いブロックが選択使用され、下腿部が位置するブロックＢでは上層１ｂと固定体Ｆａとが積層されたブロックが選択使用されている。
【００２７】
なお、体型は人によって様々でありマットレスにかかる体圧も使用者によって異なるので、使用者の体型を計測すると共に標準的なマットレスを用いて使用者の体圧分散性を体圧分散測定装置を用いてまず測定し、その計測結果及び測定結果から、マットレスに係る体圧が分散するようにブロック体の種類及び配置を決定する。このとき使用者の硬さの好みなどをも考慮して使用するブロック体を選択決定する。
【００２８】
（第２実施形態）
図４に、第２実施形態に係るマットレスＭ２の斜視図を示し、図５にマットレスＭ２を構成するブロック体Ｂｘｙ（ｘ行目Ｙ列目のブロック体）の分解斜視図を示す。
【００２９】
図４に示すマットレスＭ２は、短手方向の長さがマットレスＭ２の短手方向の長さの１／４で、長手方向の長さがマットレスＭ２の長手方向の１／７である直方体形状のブロック体Ｂｘｙが、短手方向に４個、長手方向に７個それぞれ接するように並んで配置されたものである。つまり、本実施形態におけるブロック体Ｂｘｙは、第１実施形態におけるブロック体Ｂを短手方向にさらに４分割したものであり、マットレスＭ２は２８個のブロック体Ｂｘｙから構成される。図４のマットレスＭ２において、１つのブロック体Ｂｘｙの大きさを示すため、ブロック体Ｂ１１（１行１列のブロック体）が色づけされて若干上方に持ち上げられて描かれている。
【００３０】
図５に示すように、ブロック体Ｂｘｙの構造は第１実施形態のブロック体Ｂと短手方向の長さが異なる以外は同じであって、上下方向上側から順に上層１、中間層３、下層２が積層されている。中間層３と下層２とは接着剤や加熱など従来公知の方法で固着されている。一方、上層１と中間層３とは固着されておらず単に積層されているだけである。これにより、中間層３と下層２との固着体Ｆ及び上層１は硬度の異なる他の固着体及び上層と交換可能とされている。
【００３１】
このような構成のブロック体Ｂｘｙを用いることにより、第１実施形態よりも更に細かく使用者の体圧分散性を調整させることができる。すなわち、第１実施形態のマットレスＭ１では体圧分散性は長手方向に区分けされた領域ごとに調整可能であったが、本実施形態のマットレスＭ２では、長手方向及び短手方向に区分けされた領域ごとに調整可能となる。例えば、所望の行において第１列から第４列までをそれぞれ所望の硬さに調整することができる。
【００３２】
以上、本考案を実施形態に基づいて添付図面を参照しながら詳細に説明したが、本考案は上記実施形態に限定されるものではなく、本考案の範囲を逸脱することなく更に他の種々の変形あるいは修正が可能である。例えば、以上説明した実施形態のマットレスＭ１，Ｍ２は３層構造であったが上層１及び下層２の２層構造であっても構わない。あるいは４層以上の構造であっても勿論構わない。
【００３３】
また、ブロック体を構成する各層は、例えば面ファスナーなどによって着脱可能としてもよい。また、長手方向や短手方向に隣接するブロック体も面ファスナーなどによって互いに着脱可能としてもよい。
【産業上の利用可能性】
【００３４】
本考案に係るマットレスは、クッション性などの使用者の様々な要求や使用者の体型などに個別に対応することができ有用である。
【符号の説明】
【００３５】
１    上層
２    下層
３    中間層
１１    溝部
１２    溝部
Ｂ    ブロック体
Ｂ１〜Ｂ７    ブロック体
Ｆ    固着体
Ｍ１，Ｍ２    マットレス
【図１】
0003221097.tif 000003
【図２】
0003221097.tif 000004
【図３】
0003221097.tif 000005
【図４】
0003221097.tif 000006
【図５】
0003221097.tif 000007